(57)【要約】      （修正有）【課題】撒き餌とツケ餌を同調させながら仕掛けを沈めていくことが可能な釣り具を提供する。【解決手段】餌収納籠と、取り付け部材と、道糸誘導管と、取り付け部材と道糸誘導管の各一端部を係合固定する係合部材と、係合部材近傍に固着される道糸が遊嵌可能な貫通孔が配設されたウキと、道糸誘導管に取り付けられる錘とを備え、ウキを、ウキの貫通孔部が道糸誘導管の孔部と連通するように位置決め係止し、取り付け部材と道糸誘導管とは係合部材による係合部近傍から互いに離れるように所定角度湾曲していると共に、取り付け部材はその後更に曲げ戻され、餌収納籠は取り付け部材の曲げ戻された部分で保持されることを特徴とする。【選択図】図１
0003152175.tif 000002
【実用新案登録請求の範囲】
【請求項１】
魚の餌を保持して保持した餌を水中で周囲に拡散可能な餌収納籠と、
前記餌収納籠を保持する取り付け部材と、
道糸を遊嵌可能な道糸誘導管と、
前記取り付け部材と前記道糸誘導管のそれぞれの一方端部を係合固定する係合部材と、
前記係合部材近傍に固着される道糸が遊嵌可能な貫通孔が配設されたウキと、
前記道糸誘導管に取り付けられる錘とを備え、
前記ウキを、該ウキの貫通孔部が前記道糸誘導管の孔部と連通するように位置決め係止し、
前記取り付け部材と前記道糸誘導管とは前記係合部材による係合部近傍から互いに離れるように所定角度湾曲していると共に、前記取り付け部材はその後更に曲げ戻され、前記餌収納籠は該取り付け部材の曲げ戻された部分で保持されることを特徴とする釣具。
【請求項２】
前記道糸誘導管の曲げは、Ｒ２．５ｃｍ以上、曲げ角度４５度以下であることを特徴とする請求項１記載の釣具。
【請求項３】
前記錘は、前記餌収納籠に餌をいれて海中に投じたときに、前記道糸誘導管先端近傍の釣り針と前記餌収納籠が離れ、かつほぼバランスがとれた状態を維持しながら沈む速度に同調する重さとすることを特徴とする請求項１又は請求項２記載の釣具。
【請求項４】
前記錘は、前記道糸誘導管の両端部近傍にそれぞれ設けられていることを特徴とする請求項１乃至請求項３のいずれかに記載の釣具。
【請求項５】
前記取り付け部材には、前記餌収納籠をつり下げ可能な吊り下げフックが設けられていると共に、前記取り付け部材下端には前記餌収納籠の脱落を防止する脱落防止部材が装着可能であることを特徴とする請求項１乃至請求項４のいずれかに記載の釣具。
【請求項６】
前記餌収納籠は線状部材で構成され、上部に蓋部が形成され、略中心部を前記取り付け部材が摺動可能に貫通していることを特徴とする請求項１乃至請求項５のいずれかに記載の釣具。
【考案の詳細な説明】
【技術分野】
【０００１】
本考案は、こませ籠を用いる釣り具に関し、例えばウキフカセ釣りに最適な釣り具に関するものである。
【背景技術】
【０００２】
こませ籠を用いた波止釣りやフカセ釣り等では、道糸の中間にウキを設け、道糸の先端部近傍にこませ籠を取り付けてその先に釣り針を取り付けると共に、棚まで釣り針を沈めたときにちょうど海面位置となる道糸部分にウキ止を設けて道糸がウキ止より先に送り込まれずに釣り針が棚位置になるようにした仕掛けが一般的であった。
【０００３】
また、釣るポイントを遠方に設定する遠投釣りでは、飛ばしウキ仕掛けが用いられていた。従来の飛ばしウキ仕掛けの例を図４に示す。図４において、１１０は釣り竿、１２０は釣り竿１１０より繰り出される道糸、１３０は浮力の大きな飛ばしウキ、１４０はからまん棒、１６０は道糸２０の先端部に取り付けられたよりもどし、１７０はよりもどし１６０に取り付けられたこませ籠、１７５はこませ籠１７０の底部に取り付けられたおもりであり、通常は３号〜１０号程度のものが使用される。１８０はＧスイベル、１９０は釣り針である。
【０００４】
なお、上記したこませ籠を用いた一般的な釣りの仕掛けは、図４のからまん棒１４０が省略され、飛ばしウキ１３０の替わりにアタリウキを用いる仕掛けが通常であった。
【０００５】
そして、釣りの開始にあたって、タナの深さに応じて図４中に×印で示すウキ止を形成し、こませ籠１７０にこませを詰め、道糸１２０、からまん棒１４０及びこませ籠１７０をひとまとめにしてターゲットポイントに投げ入れ、こませ籠１７０底部のおもり１７５の重みで速い速度でタナ位置まで沈めていた。
【考案の概要】
【考案が解決しようとする課題】
【０００６】
しかしながら、従来の仕掛けは、こませ籠１７０の先に連続して釣り針１９０が固着されているため、魚がえさを咥えたとき、籠自体の重さと籠を沈めるためのおもり１７５の負荷を超える力で仕掛けを引っ張り、えさを食べることになり、魚に違和感を与え、えさを突っつく程度でなかなか咥えこまなかった。
【０００７】
また、釣る方にとってもアタリを見極めるのが難しく、経験を積まなければなかなかつれなかった。
【０００８】
更に、こませ籠１７０の底部におもり１７５が設けられており、かなり早い速度で海中に沈んでいくため、釣り針１９０がこませ籠１７０の横、あるいは上側になることが多く、潮の流れや魚がかかったときに、こませ籠とからみつくことも多々あった。
【０００９】
撒き餌を撒いたところに従来の釣り仕掛けを投入しても、こませ籠１７０と釣り針１９０は速い速度で設定された棚位置まで沈んでいってしまうため、撒き餌の拡散している位置と釣り針の位置（釣り餌の位置）とがずれた状態となり、撒き餌の効果を十分に享受できなかった。
【００１０】
このため、魚が活性化してえさを食べる位置（深さ）が変動したりすると、なかなか棚位置を特定できず、魚に撒き餌だけを食べられて、釣り上げることが困難であった。
【課題を解決するための手段】
【００１１】
本考案は上述した課題に鑑みてなされたもので、撒き餌とツケ餌を同調させながら仕掛けを沈めていくことが可能な釣り具を提供することを目的としてなされたもので、かかる目的を達成する一手段として以下の構成を備える。
【００１２】
すなわち、魚の餌を保持して保持した餌を水中で周囲に拡散可能な餌収納籠と、前記餌収納籠を保持する取り付け部材と、道糸を遊嵌可能な道糸誘導管と、前記取り付け部材と前記道糸誘導管のそれぞれの一方端部を係合固定する係合部材と、前記係合部材近傍に固着される道糸が遊嵌可能な貫通孔が配設されたウキと、前記道糸誘導管に取り付けられる錘とを備え、前記ウキを、該ウキの貫通孔部が前記道糸誘導管の孔部と連通するように位置決め係止し、前記取り付け部材と前記道糸誘導管とは前記係合部材による係合部近傍から互いに離れるように所定角度湾曲していると共に、前記取り付け部材はその後更に曲げ戻され、前記餌収納籠は該取り付け部材の曲げ戻された部分で保持されることを特徴とする。
【００１３】
そして例えば、前記道糸誘導管の曲げは、Ｒ２．５ｃｍ以上曲げ角度４５度以下であることを特徴とする。あるいは、前記錘は、前記餌収納籠に餌をいれて海中に投じたときに、前記道糸誘導管先端近傍の釣り針と前記餌収納籠が離れ、かつほぼ同じバランスがとれた状態を維持しながら沈む速度に同調する重さとすることを特徴とする。
【００１４】
また例えば、前記錘は、前記道糸誘導管の両端部近傍にそれぞれ設けられていることを特徴とする。更に例えば、前記取り付け部材には、前記餌収納籠をつり下げ可能な吊り下げフックが設けられていると共に、前記取り付け部材下端には前記餌収納籠の脱落を防止する脱落防止部材が装着可能であることを特徴とする。
【００１５】
また例えば、前記餌収納籠は合成繊維糸で構成され、上部に蓋部が形成され、略中心部を前記取り付け部材が摺動可能に貫通していることを特徴とする。
【考案の効果】
【００１６】
本考案によれば、容易に撒き餌とツケ餌を同調させながら仕掛けを沈めていくことが可能な釣り具を提供することが出来る。
【００１７】
また、魚のアタリを容易に感じることの出来る釣具を提供できる。
【図面の簡単な説明】
【００１８】
【図１】本考案に係る一考案の実施の形態例の釣具の詳細を説明するための図である。
【００１９】
【図２】本実施の形態例の釣具が装着された釣り仕掛けを説明するための図である。
【００２０】
【図３】本実施の形態例の釣具において用いられるこませ籠の操作方法を説明するための図である。
【００２１】
【図４】従来の一般的な飛ばしウキ仕掛けを説明するための図である。
【符号の説明】
【００２２】
１０      バランスウキ
８０，１１０      釣り竿
７１、１２０      道糸
１３０      飛ばしウキ
１４０      からまん棒
８５      棒状アタリウキ
１６０      よりもどし
５１、１７０      こませ籠
１８０      Ｇスイベル
６１、６２、１９０      釣り針
【考案を実施するための形態】
【００２３】
以下、図１乃至図３を参照して本考案に係る一考案の実施の形態例を詳細に説明する。図１は本考案に係る一考案の実施の形態例の釣具の詳細を説明するための図、図２は本実施の形態例の釣具が装着された釣り仕掛けを説明するための図、図３は本実施の形態例の釣具において用いられるこませ籠の操作方法を説明するための図である。
【００２４】
まず図１を参照して本実施の形態例の釣具（釣り仕掛け）の詳細構成例を説明する。
【００２５】
図１において、１０は道糸誘導管４０上端部に固着されている、例えば木製あるいはプラスチック製または発泡スチロール製のいずれかの材料で構成可能で表面が塗装処理されたバランスウキであり、ほぼ中央部に道糸が遊嵌可能な、例えば道糸誘導管４０の内径とほぼ同じ内径の貫通孔（例えば、外径３ミリ内径２ミリのアルミ缶に通している）が配設されている。該貫通孔部は道糸誘導管４０の孔部と連通するように位置決めされ、固着される。
【００２６】
２１、２２はバランス錘であり、例えば板鉛を用いることが出来る。しかし、鉛に限定されるものではなく、予め道糸誘導管の外径に合わせて成型された比重の重い円筒状金属部材であってもよい。２３は微調整用の線錘であり、線鉛で構成できる。
【００２７】
本実施の形態例では、このように錘を道糸誘導管４０の上端部近傍のウキ１０の下と、道糸誘導管４０の下端部近傍のキャップ４１上部という道糸誘導管４０の両端部近傍に設けているため、こませ籠５１側の重さと道糸誘導管４０側の重量バランスを取ることが可能となり、仕掛け全体が図示のような状態を保ちながら徐々に沈下させることが出来る。
３１は取り付け部材であり、道糸誘導管４０とは逆の方向に開くように所定角度曲げられ、その後再び図の下方向になるように曲げ戻されている。先端はクリップ３６を取り付け可能にリング状に成形されクリップ取り付けフック３３を形成している。
【００２８】
この折り曲げられて拡げられている距離は、おおよそこませ籠５１の半径距離、あるいはそれ以上の距離とすることが望ましい。取り付け部材３１は、この折り曲げ状態を維持可能なように例えば１．２ｍｍ径のピアノ線で構成することが出来る。
【００２９】
取り付け部材３１の図示の上部端部は折り返されて先端部が上部の折り曲げ部よりやや下側でリング状に成形してこませ籠５１を位置決め保持するための取り付けフック３２を形成している。取り付けフック３２は図示したように道糸誘導管４０と取り付け部材３１の間の位置になるように位置決めされ、スリーブ４５で道糸誘導管４０と固着される。
【００３０】
また、３５はこませ籠５１が脱落して抜け落ちないように保持するための抜落防止部材であるストッパであり、蛍光塗料を塗布して発光球としての役割も兼ねさせている。３６はクリップピンであり、こませ籠５１とストッパ５４が抜け落ちないようにクリップピン３６をクリップ取り付けフック３３に取り付けてストッパ３５を取り付け部材３１から抜け落ちないように固着している。
【００３１】
４０は円筒状であり途中で所定角度取り付け部材３１の折り曲げ方向と反対方向に折り曲げられている道糸誘導管であり、軽量化するためにプラスチック管で構成することが望ましい。
【００３２】
より好ましくは廉価かつ工作が容易なアクリル管で構成することが好ましい。アクリル管で構成した場合には、折り曲げ部は熱加工で成形することが考えられる。熱加工で曲げた場合には曲げた位置の強度が問題とならないように、折り曲げ部分を糸で巻き、瞬間接着剤で巻回状態を保持すると共に、その後アクリル変成シリコーン樹脂（例えば、スーパーセメダイン（登録商標）などを用いることができる。）で接着することで、十分な強度を確保することが望ましい。または、熱収縮チューブで曲げ部分を補強してもよい。
【００３３】
更に好ましくは、ポリカーボネート製の成形円筒管を用いることにより、曲げ部分の強度が不足するなどの問題も解消でき、強度的にも十分なものが提供できる。また、曲げ加工などを不要とでき、大量生産に適している。
【００３４】
４１は道糸誘導管４０の先端に嵌め込んで取り付けられたキャップであり、シリコンラバー製等の可撓性を有する材料で形成され、道糸が摺れる等して破損するのを防止している。また、本実施の形態例の仕掛けにおいては、この湾曲部があることにより、首を振る事がないようになっている。
【００３５】
また４５は道糸誘導管４０と取り付け部材３１とを一体化させるためのスリーブであり、道糸誘導管４０と取り付け部材３１とを位置決め挿入し、例えば一部を絞って、あるいは接着剤を流し込んで固着する。
【００３６】
道糸誘導管４０は、Ｒ（半径）２．５ｃｍ以上、約４５度以下の角度で曲げた形状に成形することが望ましい。これにより、道糸誘導管４０に余分な負荷がかかることもなく、また良好なバランスを保って海中に沈下していることが出来る。こませ籠５１と後述する釣り針６１、６２とが一定距離離間して互いが絡みあわない状態となっている。なお、曲げ角度は以上の例に限定されるものではなく、管先端部までの長さや釣り針までの離間距離にもよるが、籠と釣り針が互いに絡みあわない範囲であれば任意の角度であってもよい。管先端部までの距離を長くすれば角度は小さくできるが、管の重さが重くなってしまう。このため、仕掛けの沈下速度の調整範囲に制限を受ける可能性があり、３０度以上とすることが望ましい。
【００３７】
５１はこませを保持し海中に沈むと徐々にこませを拡散可能な餌収納籠であるこませ籠であり、本実施の形態例では軽量化のため合成繊維糸、例えばナイロン糸で構成され、上部に蓋が取り付けられて開閉可能になっている。こませ籠５１は取り付け部材３１を自由に摺動可能であり、海中の状態により自由に籠位置を変えることが出来、仕掛けに加わる負荷を軽減している。
【００３８】
本実施の形態例のこませ籠５１は、例えば株式会社ハクタカ工業製の「キャプラクッション」を利用することが出来、「キャプラクッション」の道糸を通す部分にリング部材５４、５５を配設して取り付け部材３１を貫通させる構造とすればよい。
【００３９】
株式会社ハクタカ工業製の「キャプラクッション」は、図３に示すように、籠の横の部分を押圧して変形させることにより、上部の蓋５２のロック状態が外れ、蓋５２が開いた状態となる。取り付け部材５４の上部は所定角度で折れ曲がっており、こませ籠５１をこの上部にスライドさせてくれば蓋５２を開けたときに蓋５２が取り付け部材３１の傾斜部に沿って摺動するため、大きく開くことが可能となっている。この結果、蓋５２が十分に開いた状態で容易にこませをこませ籠５１内に充填することが出来る。
【００４０】
また、５３はこませ籠５１上部２箇所で固定された吊り下げ糸部であり、こませ籠５１が取り付け部材３２の下部まで自由に摺動可能なように余裕を持った長さが確保されている。
【００４１】
５４、５５はこませ籠５１が取り付け部材３１を自由に摺動可能とするためのリング状部材（例えばはとめ等を使用）、５６はこませ籠５１上部２箇所で固定された吊り下げ糸部５３の上部を束ねて固着しているフックピンであり、フックピン５６は取り付け部材３１の取り付けフック３２に係合されて、例えストッパ３５が外れてもこませ籠５１が取り付け部材３１から離脱しないよう様に構成されている。
【００４２】
このように、二重にこませ籠５１が抜け落ちないようにしているため、誤ってこませ籠５１が海中で外れる様なことがない構造としている。
【００４３】
図１に示す釣り仕掛けを釣り竿にセットした状態を図２に示す。図２において、６１，６２は釣り針、７１は道糸であり、例えばＰＥ３号などを用いる。７４はウキ止メ、７５は道糸７１の先端に固着されたおもり玉であり、半遊動仕掛で釣るときに浮き止めがウキを通りぬけないようにしている。釣り針６１、６２にはサルカン７６が取り付けられ、おもり玉７５と係合固着される。
【００４４】
８０は中通しの釣り竿であり、例えば３号程度のものが好適である。しかし、釣り竿の形式や大きさなどに制限はなく、任意の大きさ、形式の竿を用いることが出来る。８５は棒ウキであり、高感度自立タイプのウキとしている。８６はコム管（からまん棒）、９０は道糸７１を巻回保持するリールである。
【００４５】
道糸７１は、リール９０から釣り竿８０内を貫通して先端より延出し、ゴム管（からまん棒）８６、バランスウキ１０、道糸誘導管４１、キャップ４１を貫通して先端におもり玉７５が取り付けられる。おもり玉７５は、例えば３．２ｍｍ〜５ｍｍのものを使用することが望ましい。
【００４６】
本実施の形態例では、こませ籠５１を合成繊維糸、例えばポリアミド系合成繊維糸、例えばナイロン（登録商標）糸で構成する。このため、軽量でありながら十分な強度、餌の拡散状態を作ることが出来る。また、クリップピン３６、５７を着脱することによりこませ籠５１を着脱させることが出来、持ち運び時にはこませ籠５１を取りはずして別々に運ぶことが出来る。
【００４７】
本実施の形態例では、道糸７１の先端を道糸誘導管４０内に通し、こませ籠５１を装着する。取り付け部材（例えば、１．２ｍｍのピアノ線）３１とを一体化させ、仕掛け全体を海中でゆらゆらさせ沈ませてゆくためのバランスウキ１０から成り立っています。
【００４８】
本実施の形態例では、例えば撒き餌（例えばオキアミなど）を撒いたところに本実施の形態例の釣り仕掛けを投入して沈めるのであるが、こませ籠５１にこませを入れて海中に沈み始めたときに、本実施の形態例の釣り仕掛けが、ゆっくりと海中を漂うように沈んでいくようにバランス錘２１、２２の重さを調整し、更に、線錘２３で微調整する。
【００４９】
これにより、ちょうど図１に図示した状態で海中に沈んでいき、撒き餌を膜隣の位置に釣り針を位置させることが出来、例え魚が活性化しているときで、餌を食べる深さに変化があったときでも、仕掛けが沈んでいく途中でこの場所を通過すれば、魚が撒き餌に釣られてやってきて、釣り針にかけられている釣り餌を咥えて釣り上げることが可能になるため、より釣り果を上げることが出来る。釣り仕掛けの沈下速度は、海水温や潮の流れにより左右されることから、幾度か実際に沈下させて微調整することが望ましい。
【００５０】
なお、バランス錘２１は予め製品に取り付けられている錘であり、浮力調整は道糸誘導管４０の外側先端部近傍に糸錘や両面テープを張った板錘を切って貼り付けてバランス錘２２、線錘２３で行う。なお、こませ籠５１の綱目糸にガン玉やカミツブシを付けてもよい。
【００５１】
撒き餌、こませ餌として用いるオキアミの沈降速度は、水温や塩分濃度によって変化するので、浮力調整は最初は軽めに設定し、少しずつ錘を加えていき適正点にすることが望ましい。特に、重いものから軽くするのは難しいので注意が大切である。
【００５２】
また、主に九州地方で行われているパン粉釣り（パン粉を少し硬めに水を加え小さいダンゴを枝針仕掛けにつけ、上針に付けた大き目のパン粉団子からパラパラと落ちるパン粉を集魚用に使う釣り）があるが、本実施の形態例のこませ籠５１にアミコマセまたはエビ粉や液体集魚材を混ぜたパン粉団子を入れてさらに通常の撒き餌をカゴのなかに重ねて入れ、仕掛けを投入すると、パン粉団子がパラパラとくずれおちる速度と通常の撒き餌がパラパラ出る速度が違うため、集魚効果が長続きして釣果があがる。
【００５３】
本実施の形態例の釣り仕掛けにおいては、道糸誘導管４０内を道糸７１が遊嵌状態であり、ほとんど負荷無く互いに独立した状態に維持される。この結果、釣り針６１、６２はこませ籠５１とは確実に一定距離離間した状態に維持され、互いに絡まることがないのみならず、こませ籠５１から周囲に拡散するこませ餌の拡散範囲に釣り針６１、６２を位置決めした状態に維持できる。
【００５４】
本実施の形態例の釣り仕掛けは、道糸７１が道糸誘導管４０内を遊嵌状態であるため、道糸の負荷となることなく独立している。このため、バランス錘２１、２２及び線錘２３により、こませ籠５１にこませを入れた状態で海中に沈んでいく速度を、撒き餌を撒いたときにその撒き餌が沈んでいく速度とほぼ同じ速度に調整することにより、容易に撒き餌と同調して本実施の形態例の仕掛けが沈んでいく状態とできる。
【００５５】
また、取り付け部材３１及び道糸誘導管４０を下側で互いに離れるように開いた状態に成形されているため、図１に示すウキ１０が上部になる状態のまま海中に沈んでいく状態を維持できる。したがって、魚が撒き餌に群がってきたときには、まさにその場所にこませ餌と釣り餌（ツケ餌）がある状態であり、魚をヒットする確率が高くなる。
【００５６】
また、撒き餌が困難な、離れた場所へ、遠投などによりこませ籠５１を含む本実施の形態例の仕掛けを着水させたときにおいても、ゆっくりとこませ籠５１と釣り針などを沈めていけるため、こませ籠５１から拡散させるこませ餌拡散領域に釣り餌を配置でき、魚をヒットする確率が高くなる。
【００５７】
特に、仕掛けの投入場所が少し遠くなり、２０ｍ〜３０m以上になると的確に撒き餌を投入する事が難しくなり、風のある時など更に難しくなる。また、魚の活性が上がるとだんだん魚の棚が上がったり、遠くなったりするが、このような場合に本実施の形態例の独立懸架方式の釣り仕掛けによれば、抜群の釣果をもたらす。特に回遊性のあるシマアジ、渡りグレ、イサキ、黒鯛等の釣りに効果がある。
【００５８】
以上説明したように本実施の形態例では、いわゆるπ型遊動天秤型の仕掛けとし、こませ籠として軽量な例えばナイロン糸により籠を構成しているため、ハリス用の小さなサルカンとウキの間を自在に移動出来る様になっている。
【００５９】
こませ籠５１にこませ餌をいれて、沈む速度に同調するように海の状態に合わせてバランス錘（錘）２１、２２、２３を付けて調整することにより、カゴの網目からパラパラとこませ餌が出るように作られているので全層にわたり棚をさぐることが出来る。
【００６０】
また、こませ籠５１を合成繊維糸で成型して軽量化したため、仕掛け全体の重量を軽くすることができ、棒ウキ８５として高感度自立タイプのものを使用できる。このため、魚のアタリを確実に認識することが可能である。
【００６１】
本実施の形態例の仕掛けは、フカセ釣用として用いると優れた釣り果が得られるが、この釣りに限るものではなく、カゴ釣とフカセ釣の基本を守れば広く他の釣りにも適用できる。
【００６２】
以上説明したように本実施の形態例の仕掛けによれば、普通のカゴ釣用のカゴは一定の棚（深さ）でしか撒き餌を放出できないが、撒き餌を表層から設定された柵（ラインのウキ止め糸のある所）までパラパラと撒き、魚信を探りながら沈められる。
【００６３】
また、フカセ釣ではハリス投入の前後に撒き餌を投入して、撒き餌の沈降速度とハリスの沈降速度を合わせるようにして撒き餌に集まった魚を釣るため、風が強いときや仕掛けを投入する場所が遠方の場合は目的の場所に仕掛けや撒き餌を投入するのは困難であったが（特に撤き餌の遠投は難しい）、撒き餌とハリスをまとめて投入するので釣果を著しく向上させることができる。
【００６４】
遠投に関してはフカセ釣よりマキエサの重さが加わるので遥かに優位性があり、実験では６０ｍ〜７０ｍの遠投が可能で、追い風の場合にはさらに遠投ができず。
【００６５】
魚がハリスの餌を咥えた時、普通のカゴ釣ではカゴ自体の重さとカゴを沈めるための錘（普通かなり重い）の負荷を超える力で仕掛けを引っ張り餌を食べる事になり、魚に違和感を与えるが、道糸７１が道糸誘導管４０の中を自由に無負荷でスルスル通り抜けるので魚に違和感を与をこともない。
【００６６】
更に本実施の形態例の釣り仕掛けは、夜釣に最適であるほか、団子釣りにもそのまま応用できる。また、棚ボケに対応することもできる。
【００６７】
このように、バランスウキ１０から籠５１を係止する取り付け部材３１と道糸誘導管４０とをいわゆるπ型遊動天秤型となる仕掛けとし、こませ籠５１として軽量な例えばナイロン糸により籠を構成し、この仕掛け全体がハリス用の小さなサルカンとウキの間を自在に移動出来る様になっている。
【００６８】
こませ籠５１にこませ餌をいれて海中に投じたときに、釣り針と籠が離れ、かつほぼ同じ深さの状態を維持しながら沈む速度に同調するように海の状態に合わせてバランス錘２１、２２、２３を調整することにより、カゴの網目からパラパラとこませ餌が出るように作られているので全層にわたり棚をさぐることが出来る。
【００６９】
以上の説明は、こませ籠５１をポリアミド系合成繊維糸で構成する例を説明した。しかし、本考案は以上の例に限定されるものではなく、例えばポリアミド系合成繊維糸の代わりにポリアミド系合成繊維糸と同様の線状材料、例えばビニロン糸、フッ素樹脂糸などの合成繊維糸で構成してもよい。あるいは、麻糸などの天然素材糸、強度のあるステンレスワイヤーで籠を形成してもよい。ステンレスワイヤーで籠を形成した場合には、多少重量が重くなるが、籠の強度をより増すことができる。
【００７０】
他の線状部材で籠を構成した場合には、バランスウキ１０の浮力を籠の重量増減に比例させて増減させてバランスを取るのみで、ポリアミド系合成繊維糸で構成した場合と同様の釣り成果を確保することができ、アタリ感度や、餌の拡散状態等も同様とできる。
【図１】
0003152175.tif 000003
【図２】
0003152175.tif 000004
【図３】
0003152175.tif 000005
【図４】
0003152175.tif 000006